(57)【要約】【課題】遠方から容易に確認できて、船舶の侵入を防止できる水上侵入防止装置を提供することを目的としている。【解決手段】本発明の水上侵入防止装置１０は、ブイ２２と、前記ブイ２２を所定間隔で保持する間隔保持材２４を直列配置したフロート本体２０と、前記間隔保持材２４に取り付けて、前記フロート本体２０の長手方向と直交する方向であって前記間隔保持材２４を中心として互いに反対方向に延出した支柱架台３０と、前記支柱架台３０の一端側及び他端側から立設した支柱４０と、前記一端側の前記支柱４０に取り付けて、前記フロート本体２０の長手方向に沿って張設した第１ネット５０と、前記他端側の前記支柱４０に取り付けて、前記フロート本体２０の長手方向に沿って張設した第２ネット６０と、を有することを特徴とする。【選択図】    図１
2018034771.tif 000002
【特許請求の範囲】
【請求項１】
ブイと間隔保持材を直列配置したフロート本体上に立設された複数の支柱と、
前記支柱間に張設されたネットを有することを特徴とする水上侵入防止装置。
【請求項２】
ブイと、前記ブイを所定間隔で保持する間隔保持材を直列配置したフロート本体と、
前記間隔保持材に取り付けて、前記フロート本体の長手方向と直交する方向であって前記間隔保持材を中心として互いに反対方向に延出した支柱架台と、
前記支柱架台の一端側及び他端側から立設した支柱と、
前記一端側の前記支柱に取り付けて、前記フロート本体の長手方向に沿って張設した第１ネットと、
前記他端側の前記支柱に取り付けて、前記フロート本体の長手方向に沿って張設した第２ネットと、
を有することを特徴とする水上侵入防止装置。
【請求項３】
前記支柱架台は、前記間隔保持材に取り付けて前記フロート本体の長手方向と直交する方向へ前記間隔保持材を中心として左右に延出した取付金具に取り付けたことを特徴とする請求項２に記載の水上侵入防止装置。
【請求項４】
前記支柱架台は、浮力を備えたことを特徴とする請求項２又は３に記載の水上侵入防止装置。
【請求項５】
ブイと、前記ブイを所定間隔で保持する間隔保持材を直列配置したフロート本体と、
前記ブイに取り付けて、前記直列配置したフロート本体の長手方向と直交する方向であって前記フロート本体を中心として互いに反対方向に一対の支柱支持部が延出した支柱架台と、
前記支柱架台に接続した錘部と、
前記支柱支持部から立設した支柱と、
一端側の前記支柱に取り付けて、前記フロート本体の長手方向に沿って張設した第１ネット又は第１ロープと、
他端側の前記支柱に取り付けて、前記フロート本体の長手方向に沿って張設した第２ネット又は第２ロープと、
を有することを特徴とする水上侵入防止装置。
【請求項６】
前記一対の前記支柱支持部が延出する前記支柱架台の一端側又は／及び他端側から前記支柱支持部に沿って延出する接続プレートを備え、
前記接続プレートは、締結手段を用いて前記接続プレート同士を互いに接続可能なことを特徴とする請求項５に記載の水上侵入防止装置。
【発明の詳細な説明】
【技術分野】
【０００１】
本発明は、湖、海などにおける立入禁止区域内に侵入しようとする船舶や手漕ぎボート等の侵入を防止する水上侵入防止装置に関する。
【背景技術】
【０００２】
従来、湖上又は海上において、遊泳禁止区域を表示するためにロープに複数のブイを連結して設置することがある。
また、海上では不審船や密漁船の航行を妨げるためにロープ又はネットに複数のブイを連結して設置することがある。
このようなブイの設置にも係わらず、侵入しようする船舶や手漕ぎボート等に対しては、水面ないし水面近傍の水中にロープやネットを張り巡らせることにより、浮遊するブイと連結するロープやネットを船舶のスクリューに絡み付かせて、航行を妨害している。また、手漕ぎボート等の侵入難易度を高めている。
【０００３】
特許文献１に開示の船舶航行妨害装置は、ブイと、索と、ブイと索を連結する連結紐からなり、船舶の航行を妨害したいときに装置を水面付近に配置させている。そして、所定時間が経過して妨害を解除したいときには、連結紐が水に溶けるなどしてブイから策が外れて索を所定深さに沈下させて船舶が航行できるようにしている。
【先行技術文献】
【特許文献】
【０００４】
【特許文献１】特開２００２−５３０９４号公報
【発明の概要】
【発明が解決しようとする課題】
【０００５】
しかしながら従来の船舶の侵入を防止する装置では、以下のような問題があった。
＜１＞浮遊するブイに連結したロープやネットが波浪などの影響により、設定深さよりも沈下して不審船のスクリューに絡み付かない場合には、容易に侵入されてしまう。
＜２＞波や海流で装置が流されてしまうと、付近を航行する一般の船舶のスクリューにロープなどが絡み付いてしまうおそれがある。
＜３＞一般の船舶が誤って近づかないように、ブイを目立たせるなど水面上で装置の存在を認識できるようにする必要がある。
【０００６】
また、特許文献１に開示の妨害装置は、妨害できる時間が限定的で、妨害を解除した後は容易に侵入できてしまう。また妨害態勢の間は、上記従来の問題が生じている。
【０００７】
上記従来技術の問題点に鑑み、本発明は、遠方から容易に確認できて、船舶の侵入を防止できる水上侵入防止装置を提供することを目的としている。
【課題を解決するための手段】
【０００８】
上記課題を解決するための第１の手段として、本発明は、ブイと間隔保持材を直列配置したフロート本体上に立設された複数の支柱と、前記支柱間に張設されたネットを有することを特徴とする水上侵入防止装置を提供することにある。
上記第１の手段によれば、係留する複数のブイに沿って水面上にネットを配置することができ、遠方からでも容易にネットの存在を確認することができ、一般の船舶が誤って近づくことを防止でき、かつ密漁船や不審船及び手漕ぎボート等の侵入を確実に防止できる。
【０００９】
上記課題を解決するための第２の手段として、本発明は、ブイと、前記ブイを所定間隔で保持する間隔保持材を直列配置したフロート本体と、前記間隔保持材に取り付けて、前記フロート本体の長手方向と直交する方向であって前記間隔保持材を中心として互いに反対方向に延出した支柱架台と、前記支柱架台の一端側及び他端側から立設した支柱と、前記一端側の前記支柱に取り付けて、前記フロート本体の長手方向に沿って張設した第１ネットと、前記他端側の前記支柱に取り付けて、前記フロート本体の長手方向に沿って張設した第２ネットと、を有することを特徴とする水上侵入防止装置を提供することにある。
上記第２の手段によれば、係留する複数のブイに沿って水面上に第１及び第２ネットを配置することができ、遠方からでも容易にネットの存在を確認することができ、一般の船舶が誤って近づくことを防止でき、かつ密漁船や不審船及び手漕ぎボート等の侵入を確実に防止できる。
また、張設した第１及び第２ネットの中心にブイを配置しているため、水上でバランス良く装置全体を配置することができ、波浪等により傾いても浮力によって容易に復元できる。
【００１０】
上記課題を解決するための第３の手段として、本発明は、前記第２の手段において、前記支柱架台は、前記間隔保持材に取り付けて前記フロート本体の長手方向と直交する方向へ前記間隔保持材を中心として左右に延出した取付金具に取り付けたことを特徴とする水上侵入防止装置を提供することにある。
上記第３の手段によれば、支柱架台を間隔保持材に固定する箇所の強度を高めることができ、装置全体の経年劣化を低減できる。
【００１１】
上記課題を解決するための第４の手段として、本発明は、前記第２又は第３の手段において、前記支柱架台は、浮力を備えたことを特徴とする水上侵入防止装置を提供することにある。
上記第４の手段によれば、フロート本体及び支柱架台の浮力によって第１及び第２ネットを水面上に配置することができる。従って遠方からでも容易に装置の存在を確認することができる。
【００１２】
上記課題を解決するための第５の手段として、本発明は、ブイと、前記ブイを所定間隔で保持する間隔保持材を直列配置したフロート本体と、前記ブイに取り付けて、前記直列配置したフロート本体の長手方向と直交する方向であって前記フロート本体を中心として互いに反対方向に一対の支柱支持部が延出した支柱架台と、前記支柱架台に接続した錘部と、前記支柱支持部から立設した支柱と、一端側の前記支柱に取り付けて、前記フロート本体の長手方向に沿って張設した第１ネット又は第１ロープと、他端側の前記支柱に取り付けて、前記フロート本体の長手方向に沿って張設した第２ネット又は第２ロープと、を有することを特徴とする水上侵入防止装置を提供することにある。
上記第５の手段によれば、係留する複数のブイに沿って水面上に第１及び第２ネット又はロープを配置することができ、遠方からでも容易にネットの存在を確認することができ、一般の船舶が誤って近づくことを防止でき、かつ密漁船や不審船及び手漕ぎボート等の侵入を確実に防止できる。
また、張設した第１及び第２ネットの中心にブイと錘部を配置しているため、水上でバランス良く装置全体を配置することができ、波浪等により傾いても容易に復元できる。
【００１３】
上記課題を解決するための第６の手段として、本発明は、前記第５の手段において、前記一対の前記支柱支持部が延出する前記支柱架台の一端側又は／及び他端側から前記支柱支持部に沿って延出する接続プレートを備え、前記接続プレートは、締結手段を用いて前記接続プレート同士を互いに接続可能なことを特徴とする水上侵入防止装置を提供することにある。
上記第６の手段によれば、複数のフロート本体のユニットを連結金具で接続した主フロートと、主フロートの連結金具箇所に並列する複数のフロート本体のユニットからなる補助フロートを交互に隙間なく接続することができる。また波浪等により主フロートと補助フロートどうしが絡み合うことを防止できる。さらにフロート本体のロープと、支柱に取り付けたロープのロープ張が一定となり水上侵入防止装置に作用する外力を均一化できる。
【発明の効果】
【００１４】
上記の本発明によれば、係留する複数のブイに沿って水面上に第１及び第２ネットを配置することにより、遠方からでも容易にネットの存在を確認することができ、一般の船舶が誤って近づくことを防止でき、かつ密漁船や不審船の侵入を確実に防止できる。
【図面の簡単な説明】
【００１５】
【図１】本発明の水上侵入防止装置の説明図であり、（１）は平面図、（２）は（１）のＡ−Ａ断面図である。
【図２】支柱架台と支柱の説明図である。
【図３】変形例の水上侵入防止装置の説明図であり、（１）は平面図、（２）は（１）のＢ−Ｂ断面図である。
【図４】変形例の取付金具と支柱架台の説明図である。
【図５】変形例２の水上侵入防止装置の説明図であり、（１）は平面図、（２）は（１）のＣ−Ｃ断面の拡大図である。
【図６】変形例２の水上侵入防止装置の分解図である。
【図７】接続型の水上侵入防止装置の説明図である。
【図８】接続型の水上侵入防止装置を用いた連結の説明図である。
【発明を実施するための形態】
【００１６】
本発明の水上侵入防止装置の実施形態を添付の図面を参照しながら、以下詳細に説明する。
【００１７】
［水上侵入防止装置１０］
図１は、本発明の水上侵入防止装置の説明図であり、（１）は平面図、（２）は（１）のＡ−Ａ断面図である。図２は支柱架台と支柱の説明図である。図示のように本発明の水上侵入防止装置１０は、フロート本体２０と、支柱架台３０と、支柱４０と、第１及び第２ネット５０，６０を主な基本構成としている。
【００１８】
フロート本体２０は、ブイ２２と、間隔保持材２４と、ロープ２６からなる。
ブイ２２は、一例として直径６００ｍｍの球体であり、浮力により水上に配置できる。ブイ２２は中心を通る貫通孔を備えている。貫通孔にはロープ２６を挿通している。ブイ２２は材質に所定強度を備えたプラスチック樹脂材などを用いている。
【００１９】
間隔保持材２４は、ブイ２２の間を所定の間隔（一例として数十〜数百ミリ）に保持する部材である。間隔保持材２４は円柱形状であり、ブイ２２と同様に浮力により水上に配置できる。間隔保持材２４は軸心を通る貫通孔を備えている。貫通孔にはロープ２６を挿通している。間隔保持材２４は材質に所定強度を備えたプラスチック樹脂材を用いている。
【００２０】
ロープ２６は、ブイ２２と間隔保持材２４の貫通孔に挿入して、ブイ２２と間隔保持材２４を交互に直列に連結して固定することができる。ロープ２６は材質に所定強度を備えた合成繊維を用いている。
【００２１】
支柱架台３０は、間隔保持材２４を把持する把持部３２と、把持部３２からフロート本体２０の長手方向と直交する方向へ延出する架台部３４からなる。支柱架台３０は、浮力を備えていれば良く、水よりも比重が小さい材質、例えばプラスチック樹脂材、木材などを用いることができる。また水よりも比重が大きい場合であっても、架台全体又は少なくとも一部を中空構造に形成して、水面に配置したときに浮力が働き水面に浮いた状態を維持する構造であれば良い。
【００２２】
把持部３２は、間隔保持材２４の外周を覆う円筒状の部材であり、間隔保持材２４の直径を通る平面に沿って二分割した半割構造としている。そして把持部３２は環状両端部から径方向外側に伸びる締着部３３を設けている。締着部３３は、厚み方向に貫通する締結孔を備えている。締着部３３を重ね合わせて締結孔に締結ボルトを挿入して締結して支柱架台３０を間隔保持材２４に固定することができる。
【００２３】
架台部３４は、一端が把持部３２に接続し、他端がフロート本体２０の長手方向と直交する方向へ延出した部材である。そして架台部３４の他端側には垂直方向に立設する支柱４０を挿入して支持する貫通孔３５を設けている。
このような支柱架台３０は、間隔保持材２４に複数個毎で取り付けている（図１では３個毎に取り付け）。
【００２４】
支柱４０は、支柱架台３０から垂直方向に立設する棒状の部材である、支柱４０は、下端側にツバ部４１とピン孔４２を設けている。ツバ部４１は、支柱架台３０の貫通孔に支柱４０を挿入して支柱架台３０の上面と接触して所定位置に固定する部材である。ピン孔４２は、支柱４０の長手方向と直交する方向に貫通しており、支柱架台３０の上面から貫通孔へ支柱４０を挿入して下面から突出した支柱のピン孔４２に差込みピン４４を挿入することにより、支柱架台３０の貫通孔３５に装着した支柱４０の引き抜きを防止できる。なお差込ピン４４は支柱架台３０から支柱４０を容易に着脱できるものであれば良く、この他くさび、締結ボルトなどを用いることができる。
【００２５】
支柱４０は上端側に後述する第１及び第２ネット５０，６０の係止部４３を設けている。係止部４３は、ネットを着脱容易に係止できるものであれば良く、フックなどを用いることができる。
第１及び第２ネット５０，６０は、一端側及び他端側の支柱４０に、フロート本体２０の長手方向に沿って取り付ける網体である。なお第１及び第２ネット５０，６０は、船舶の侵入を防止できるものであれば、ロープなどを用いることもできる。
【００２６】
［作用］
上記構成による本発明の水上侵入防止装置の作用について、以下説明する。
複数のブイ２２及び間隔保持材２４の貫通孔にロープ２６を挿通して、ブイ２２及び間隔保持材２４を交互に連結したフロート本体２０を用意する。そして間隔保持材２４の複数個毎に支柱架台３０を取り付ける。具体的な支柱架台３０の取り付けは半割構造の支柱架台の把持部３２の間に間隔保持材２４を挟んで締着部３３の締結孔に締結ボルトを挿入して固定する。ついで支柱架台３０の一端側及び他端側に支柱４０を取り付ける。支柱架台３０の下面側から突出しているピン孔４２に差込ピン４４を挿入して固定する。さらに一端側及び他端側の支柱の係止部４３にフロート本体２０の長手方向に沿って第１及び第２ネット５０，６０を取り付ける。
【００２７】
このような構成の水上侵入防止装置１０は、立入禁止区域などの境界付近に係留すると、フロート本体２０を中心に挟むように第１及び第２ネットを長手方向に沿って水上に配置することができ、遠方からでも容易にネットの存在を確認することができ、一般の船舶が誤って近づくことを防止でき、かつ密漁船や不審船や手漕ぎボート等の侵入を確実に防止できる。
また水上でバランス良く装置全体を配置することができ、波浪等により傾いても浮力によって容易に復元できる。
また、気象状況により撤去する場合には、ピン結合を解除することにより、容易に装置全体を解体することができる。
【００２８】
なお、ブイと間隔保持材を直列配置したフロート本体上に立設された複数の支柱と、支柱間に張設されたネットを有する水上侵入防止装置は、次のような装置構成としても良い。
ブイと間隔保持材を直列配置したフロート本体上に複数の支柱を立設させた構成として、ブイ又は間隔保持材を中空構造に形成し、その重心よりも下方に錘を取り付けて、釣り用浮きのように重心よりも上側が常に水面上に露出するようにする。このようなフロート本体上に立設させた複数の支柱と、支柱間に張設されたネットは、波浪等により装置全体が傾いてもフロート本体の浮力によって水面上に容易に復元して、フロート本体上でバランス良く配置できる。
【００２９】
［変形例］
図３は変形例の水上侵入防止装置の説明図であり、（１）は平面図、（２）は（１）のＢ−Ｂ断面図である。図４は変形例の取付金具と支柱架台の説明図である。図示のように変形例の水上侵入防止装置１０Ａは、支柱架台３０Ａの構成が図１に示す構成と異なる。その他の構成は、図１に示す構成と同一であり、詳細な説明を省略する。
【００３０】
変形例の支柱架台３０Ａは、取付金具７０を介して間隔保持材２４に取り付けている。取付金具７０は、間隔保持材２４を把持する把持部７２と、把持部７２からフロート本体２０の長手方向と直交する方向へ延出する支持部７４からなる。取付金具７０は、材質に支柱架台３０Ａよりも強度を備えた鋼材などを用いることができる。
把持部７２は、間隔保持材２４の外周を覆う円筒状の部材であり、間隔保持材２４の直径を通る平面に沿って二分割した半割構造としている。そして把持部７２は環状両端部から径方向外側に伸びる締着部７３を設けている。締着部７３は、厚み方向に貫通する締結孔を備えている。締着部７３を重ね合わせて締結孔に締結ボルトを挿入して締結して取付金具７０を間隔保持材２４に固定することができる。
【００３１】
支持部７４は、一端が把持部７２に接続し、他端がフロート本体２０の長手方向と直交する方向へ延出した部材である。そして支持部７４の他端側には支柱架台３０Ａを挿入して固定可能な支持穴７５を設けている。支持部７４は垂直方向に貫通する締結孔７６を設けている。
このような取付金具７０は、ブイ２２を間に挟んだ一対の間隔保持材２４に複数個毎で取り付けている。
【００３２】
支柱架台３０Ａは、端部を取付金具７０の支持穴７５に挿入可能とし、平面視でほぼコ字型に形成した部材である。支柱架台３０Ａは、浮力を備えていれば良く、水よりも比重が小さい材質、例えばプラスチック樹脂材、木材などを用いることができる。また水よりも比重が大きい場合であっても、架台全体又は少なくとも一部を中空構造に形成して、水面に配置したときに浮力が働き水面に浮いた状態を維持する構造であれば良い。ほぼコ字型の支柱架台３０Ａの角部には、垂直方向に立設する支柱４０を挿入して支持する貫通孔３５を設けている。また支柱架台３０Ａの端部は、取付金具７０の支持穴７５に挿入して締結孔７６と重なる位置に貫通孔３１を設けている。この締結孔７６と貫通孔３１に挿入可能な締結ボルト８０は首下端部側にピン孔８２を設けている。そして、締結ボルト８０を締結孔７６と貫通孔３１に挿入し、取付金具７０の下面側から突出したピン孔８２に挿入可能な差込ピン８４により締結ボルト８０の引き抜きを防止できる。
【００３３】
このような構成の変形例の水上侵入防止装置１０Ａは、支柱架台３０Ａを間隔保持材２４に固定する箇所の強度を高めることができ、装置全体の経年劣化を低減できる。また、立入禁止区域などの境界付近に係留すると、フロート本体２０を中心に挟むように第１及び第２ネットを長手方向に沿って水上に配置することができ、遠方からでも容易にネットの存在を確認することができ、一般の船舶が誤って近づくことを防止でき、かつ密漁船や不審船や手漕ぎボート等の侵入を確実に防止できる。
【００３４】
［変形例２］
図５は変形例２の水上侵入防止装置の説明図であり、（１）は平面図、（２）は（１）のＣ−Ｃ断面の拡大図である。図６は変形例２の水上侵入防止装置の分解図である。図示のように変形例２の水上侵入防止装置１０Ｂは、支柱架台３０Ｂの構成が図１に示す構成と異なる。その他の構成は、図１に示す構成と同一であり、詳細な説明を省略する。
変形例２の支柱架台３０Ｂは、フロート本体２０のブイ２２に取り付けている。また支柱架台３０Ｂは、フロート本体２０のブイ２２に所定間隔を開けて、一例としてブイ３個又は４個おきに取り付けている。
【００３５】
支柱架台３０Ｂの具体的な構成は、球体のブイ２２を覆う骨組み状の上部半割体３０１及び下部半割体３０２を有している。上部及び下部半割体３０１，３０２は、いずれも半球の球面を覆う骨組み状に形成されており、直列配置したフロート本体２０の長手方向と直交する方向であって、フロート本体２０を中心として互いに反対方向へ延出する接続部３０３ａ，３０３ｂを設けている。上部及び下部半割体３０１，３０２は、ブイ２２を間に挟んで締結ボルト３０４により互いに接続すると、ブイ２２の外表面を覆うように固定することができる。
下部半割体３０２は、接続部３０３ｂの下方に支柱支持部３０６を設けている。支柱支持部３０６は、接続部３０３ｂと同様に、直列配置したフロート本体２０の長手方向と直交する方向であって、フロート本体２０を中心として互いに反対方向延出するように取り付けたプレートであり、上面に支柱４０の支柱挿入管３０７を取り付けている。支柱挿入管３０７は側面を貫通するピン３０８のピン穴が設けてあり、支柱４０を挿入した後、ピン３０８を用いて支柱４０を固定することができる。
【００３６】
支柱４０は、長手方向に所定間隔で複数の係止部４３を設けている。係止部４３の形状は、１本又は複数のロープあるいはネットを係止できるものであればよく、本実施形態では一例としてロープを挿入可能な環状に形成している。
錘部３１０は、下部半割体３０２の下方に設けた接続片３１２に締結ボルト３１３を用いて固定した錘である。錘部３１０は、ブイ２２の重心を通る垂直線上であって、ブイ２２よりも下方となるように取り付けている。このような錘部３１０により、波浪等により装置全体が傾いてもフロート本体２０の浮力と錘部３１０のバランスによって水面上に容易に復元して、フロート本体２０上でバランス良く装置を配置できる。
【００３７】
上記のような変形例２の水上侵入防止装置によれば、係留する複数のブイに沿って水面上に第１及び第２ネット又はロープを配置することができ、遠方からでも容易にネットの存在を確認することができ、一般の船舶が誤って近づくことを防止でき、かつ密漁船や不審船及び手漕ぎボート等の侵入を確実に防止できる。
また、張設した第１及び第２ネットの中心にブイと錘部を配置しているため、水上でバランス良く装置全体を配置することができ、波浪等により傾いても容易に復元できる。
【００３８】
図７は接続型の水上侵入防止装置の説明図であり、（１）は側面図、（２）は平面図である。図８は接続型の水上侵入防止装置を用いた連結の説明図である。
図８に示すように、複数のフロート本体のユニットを連結金具で接続した主フロートがある。連結金具は関係者の侵入箇所に配置してありロープを外すことができる。この主フロートの連結金具の箇所には並列する複数のフロート本体のユニットからなる補助フロートを連結金具を用いて接続している。このとき主フロート及び補助フロートの間には接続型の水上侵入防止装置１０Ｃを取り付けている。
【００３９】
図７に示すように、接続型の水上侵入防止装置１０Ｃは接続プレート３１４を取り付けている。接続プレート３１４は、一対の支柱支持部３０６が延出する支柱架台３０Ｂの一端側又は／及び他端側から支柱支持部３０６に沿って延出したプレートである。本実施形態の接続プレート３１４は、下部半割体３０２のいずれか一方の接続部３０３ｂから、直列配置したフロート本体２０の長手方向と直交する方向であって、フロート本体２０を中心として互いに反対方向へ延出するように取り付けている。この接続プレート３１４は、接続部３０３ｂよりも長く形成し、締結手段となる締結ボルト３１５を挿入可能なボルト穴を設けている。
【００４０】
このような接続型の水上侵入防止装置１０Ｃは、締結手段となる締結ボルト３１５を用いて接続プレート同士３１４を互いに容易に接続できる。これにより主フロートと補助フロートを交互に隙間なく接続することができる。また波浪等により主フロートと補助フロートどうしが絡み合うことを防止できる。さらにフロート本体のロープと、支柱に取り付けたロープのロープ張が一定となり水上侵入防止装置に作用する外力を均一化できる。
【産業上の利用可能性】
【００４１】
本発明は、立入禁止区域への船舶の侵入を防止する水上侵入防止装置に係わり、特に漁業、運輸の分野において、産業上の利用可能性を有する。
【符号の説明】
【００４２】
１０，１０Ａ，１０Ｂ………水上侵入防止装置、２０………フロート本体、２２………ブイ、２４………間隔保持材、２６………ロープ、３０，３０Ａ，３０Ｂ………支柱架台、３１………貫通穴、３２………把持部、３３………締着部、３４………架台部、３５………貫通孔、４０………支柱、４１………ツバ部、４２………ピン孔、４４………差込ピン、５０………第１ネット、６０………第２ネット、７０………取付金具、７２………把持部、７３………締着部、７４………支持部、７５………支持穴、７６………締結孔、８０………締結ボルト、８２………ピン孔、８４………差込ピン。
【図１】
2018034771.tif 000003
【図２】
2018034771.tif 000004
【図３】
2018034771.tif 000005
【図４】
2018034771.tif 000006
【図５】
2018034771.tif 000007
【図６】
2018034771.tif 000008
【図７】
2018034771.tif 000009
【図８】
2018034771.tif 000010